(57)【要約】【課題】路肩に設置される水路部と、該水路部に被せて取付けられるカバー部よりなり、水路部の壁高欄側の側壁は側壁上端まで壁高欄のコンクリートで覆われる排水溝ユニットにおいて、側壁上端のコンクリートがひび割れや欠落した壁高欄を伝い落ちる水が欠落部分に入り、側壁と壁高欄又は縁石とのコンクリートとの間の境界面に入り込んでコンクリートを劣化させることがないようにする。【解決手段】水路部１の壁高欄側側壁１ｃの内側面に当てがわれ、ボル２７トとナット２８にて側壁１ｃに止着される接合部２６ａと、側壁上端において接合部２６ａより折り曲げられ、外側方に突出して壁高欄２のコンクリート中に埋設される埋設部２６ｂよりなる背面浸水防止金具を取付ける。【選択図】図８
2018159254.tif 000002
【特許請求の範囲】
【請求項１】
底壁部と、該底壁部の一端より立ち上がる路面側の側壁と、底壁部の他端より立ち上がり、コンクリート製の壁高欄又は縁石と接する側壁よりなり、路肩に設置される水路部と、該水路部に被せて取付けられるカバー部よりなる排水溝ユニットにおいて、前記水路部の壁高欄又は縁石側の側壁上端には壁高欄又は縁石との境界を越えて該境界を塞ぎ、壁高欄又は縁石に埋設される背面浸水防止金具が設けられることを特徴とする排水溝ユニット。
【請求項２】
水路部は板金製で、背面浸水防止金具は水路部の壁高欄又は縁石側側壁と一体で、該側壁上端より折曲形成されることを特徴とする請求項１記載の排水溝ユニット。
【請求項３】
前記背面浸水防止金具は、水路部とは別体で、側壁の内側面に当てがわれる接合部と、該接合部上端より屈折し、側壁上端面に当たって壁高欄又は縁石に埋設される埋設部よりなることを特徴とする請求項１記載の排水溝ユニット。
【発明の詳細な説明】
【技術分野】
【０００１】
本発明は、道路や橋梁の路肩或いは中央分離帯におけるコンクリートよりなる地覆又は壁高欄に沿って設置される排水溝ユニットに関する。
【背景技術】
【０００２】
図１は、壁高欄に沿って設置される排水溝ユニットの一例を示すもので、全体が鋼製で、底壁部１ａと、該底壁部１ａの両端より立ち上がる路面側の側壁１ｂ及び該側壁１ｂより背高の壁高欄２側の側壁１ｃよりなる水路部１と、水平部３ａと、壁高欄２側の水平部端より壁高欄２に向かって斜めに立ち上がる傾斜部３ｂと、路面側の水平部端より下向きに折り曲げられる垂直な脚部３ｃよりなり、水平部３ａには排水孔３ｄが形成され、脚部３ｃを水路部底の底壁部１ａに着床させると共に、傾斜部３ｂを高欄側の側壁１ｃに寄り掛からせた状態で水路部１に被さって取外し可能に取付けられるカバー部３よりなり、その施工は次のようにして行われる。
【０００３】
路肩にモルタル５を敷設し、その上に水路部１を設置する。そして壁高欄側の側壁１ｃの上下にＬ形のアンカー４を外側方に突出して取付けた状態で側壁１ｃ外側にコンクリートを打設し、壁高欄２を形成する。側壁上端面は図２に示すようにコンクリートで覆われるか、或いは図３に示すようにシーリング材６によりコーキングされる。
【０００４】
水路部１を設置し、壁高欄２を形成後、カバー部３の脚部３ｃの差込孔３ｅに水路部1の路面側側壁１ｂより内側方に突出する板状の突出部１ｄを差込んで脚部３ｃを底壁部１ａに着床させ、かつ傾斜部３ｂを側壁１ｃに掛けてカバー部３を水路部１に被せて取付ける。図中、７はカバー部３を底壁部上に支持する支柱であり、８はカバー部３の傾斜部３ｂに取着の取付金具３ｅと水路部１の側壁１ｃに取着の取付金具１ｅとを連結するチェーンである。
前述するタイプの排水溝ユニットの一例が下記特許文献１に開示されている。
【０００５】
図４は、縁石１１に沿って設置される排水溝ユニットの概略構造を示すもので、全体が鋼製で、断面凹形をなす水路部１２と、該水路部１２に被せられるカバー部１３よりなり、その施工は路肩にモルタル１４を敷設し、その上に水路部１２を設置したのち、水路部１２の縁石側側壁１２ｃの外側にコンクリートを打設し、縁石１１又は壁高欄を形成する。水路部の縁石側側壁１２ｃの上端面は図２に示すようにコンクリートで覆うか、或いは図３に示すようにシーリング材６によりコーキングする。図中、１３ｂは排水孔である。
【０００６】
水路部１２を設置し、縁石１１又は壁高欄を形成後、カバー部１３が水路部上に取付けられる。カバー部１３は倒Ｌ形断面をなし、その取付けは、一端の脚部１３ａの差込孔１３ｃに水路部側壁１２ａの内側方より突出する板状の突出部１２ｂに差込んで脚部１３ａを水路部底に着床させ、かつカバー部他側を水路部１２の縁石又は壁高欄側側壁１２ｃ内側面に固着のアングル材１５上に載置して行う。図中、１６はカバー部１３より下向きに突設され、水路部１２の路面側側壁１２ａより突設される前記突出部１２ｂに下側より係止してカバー部１３の跳ね上がりを防止する断面倒Ｌ形の跳ね上がり防止金具である。なお図示していないが、この排水溝ユニットにおいてもカバー部１３を水路部１２に連結するチェーンが設けられている。図中、１３ｂはカバー部１３に形成される排水孔である。
【先行技術文献】
【特許文献】
【０００７】
【特許文献１】特開２０１２−２２９５５１号
【発明の概要】
【発明が解決しようとする課題】
【０００８】
図２に示す水路部の側壁１ｅ上端面を覆う壁高欄２や縁石のコンクリートや図３に示すシーリング材６が数年後、図５に示すようにコンクリートのひび割れや欠落９により、或いはシーリング材６の劣化や脱落により壁高欄や縁石を伝い落ちる雨水が図示するように、側壁１ｃとコンクリートの間より侵入して壁高欄２や縁石１１を劣化させる原因となることがある。
本発明は、この問題を解消することができる排水溝ユニットを提供することを目的とする。
【課題を解決するための手段】
【０００９】
底壁部と、該底壁部の一端より立ち上がる路面側の側壁と、底壁部の他端より立ち上がり、コンクリート製の壁高欄又は縁石と接する側壁よりなり、路肩に設置される水路部と、該水路部に被せて取付けられるカバー部よりなる排水溝ユニットにおいて、前記水路部の壁高欄又は縁石側の側壁上端には壁高欄又は縁石との境界を越えて該境界を塞ぎ、壁高欄又は縁石に埋設される背面浸水防止金具が設けられることを特徴とする。
【００１０】
請求項２に係る発明は、請求項１に係る発明において、水路部は板金製で、背面浸水防止金具は水路部の壁高欄又は縁石側側壁と一体で、該側壁上端より折曲形成されることを特徴とし、
請求項３に係る発明は、請求項１に係る発明において、背面浸水防止金具は、水路部とは別体で、側壁の内側面に当てがわれる接合部と、該接合部上端より屈折し、側壁上端面に当たって壁高欄又は縁石に埋設される埋設部よりなることを特徴とする。
【発明の効果】
【００１１】
請求項１に係る発明によると、水路部側壁とコンクリート製高欄又は縁石との境界は背面浸水防止金具で塞がれるので、側壁上端面を覆う壁高欄や縁石のコンクリートが図５に示すように、ひび割れや欠落するようなことがあったとしても、またシーリング材の劣化や脱落が生じたとしても、該部に入り込んだ雨水が背面浸水防止金具で遮られ、側壁と壁高欄や縁石との間に侵入してコンクリート製の壁高欄や縁石が劣化するのを防ぐことができる。
【００１２】
請求項２に係る発明の背面浸水防止金具は、水路部を板金加工する際に同時に形成することができる。
【００１３】
請求項３に係る発明の背面浸水防止金具は、該金具を有しない既存の排水溝ユニットに対しても取付けることができる。
【図面の簡単な説明】
【００１４】
【図１】壁高欄に取付けられる従来の排水溝ユニットの断面図。
【図２】同排水溝ユニットの要部の拡大断面図。
【図３】排水溝ユニットの要部の別の例の拡大断面図。
【図４】縁石に取付けられる従来の排水溝ユニットの別の態様の断面図。
【図５】側壁上端面上のコンクリートが欠落した状態を示す要部の拡大断面図。
【図６】壁高欄に取付けられる本発明に係る排水溝ユニットの断面図。
【図７】本発明に係る排水溝ユニットの別の態様の断面図。
【図８】側壁上端のコンクリートが欠落した状態を示す要部構造の拡大断面図。
【図９】本発明に係る排水溝ユニットの更に別の態様の断面図。
【図１０】本発明に係る排水溝ユニットの他の態様の断面図。
【発明を実施するための形態】
【００１５】
以下、本発明の実施形態の排水溝ユニットについて図面により説明する。図中、図１ないし図５に示す従来の排水溝ユニットと同一構造部分には同一符号を付してあり、その詳細な説明の多くを省略する。
【００１６】
図６は、図１に示す排水溝ユニットに対応する排水溝ユニット２１を示すもので、水路部１の壁高欄２又は縁石側の側壁１ｃ上端には横向きに折り曲げられて壁高欄２又は縁石のコンクリートに埋設される背面浸水防止金具２２が板金加工により一体形成されている。
【００１７】
水路部１の側壁１ｃにはまた、外側の上下に取付金具２３が側方に突出して固着され、各取付金具２３に倒Ｌ形をなして壁高欄２又は縁石に埋設されるアンカー２４が差込んで取付けてあり、内側にはチェーン８の取付金具1ｅが固着されている。
【００１８】
水路部１の路面側の側壁１ｂには、ピン又は板状の突出部１ｄが側方に突出させて取付けてある。
【００１９】
カバー部３は脚部３ｃに前記細板状の突出部１ｅに差込まれる差込孔３ｅを有し、壁高欄２又は縁石側の水平部端には水路部１の底壁部１ａに着床してカバー部３を支持する支柱７を下向きに突設し、壁高欄２又は縁石側の前記水平部端に続く傾斜部３ｂには前記水路部側壁１ｃの取付金具１ｅに差込んで係止される取付金具３ｅが固着され、チェーン８が取付金具１ｅと３ｅを連結している。
【００２０】
図７は、背面浸水防止金具２６が水路部１とは別体であって、水路部側壁１ｃの内側面に当てがわれ、ボルト２７とナット２８にて側壁１ｃに止着される接合部２６ａと（図８参照）、側壁上端において接合部２６ａより折り曲げられ、外側方に突出して壁高欄２又は縁石のコンクリート中に埋設される埋設部２６ｂよりなっており、接合部２６ａは側壁１ｃにボルト２７とナット２８により止着する代わりに接着により取付けてもよく、また側壁１ｃに単に沿わせるだけで（側壁１ｃとは隙間を存して沿わせてもよいが、好ましくは当たって接触した状態で沿わせられる）、ボルト２７とナット２８による側壁１ｃへの止着や接着を省くこともできる。
【００２１】
前記各実施形態の排水溝ユニットによれば、例え図８に例示される排水溝ユニットのように、側壁１ｃ上端のコンクリートにひび割れや欠落９が生じたり、壁高欄２又は縁石を伝い落ちる雨水が欠落部分に入り込んだとしても、背面浸水防止金具２２、２６に遮られ、側壁１ｃと壁高欄２又は縁石のコンクリートとの境界面に入り込むことはない。
【００２２】
図９は、図４に示す排水溝ユニットに対応する排水溝ユニット３１を示すもので、水路部１２の縁石１１又は壁高欄側の側壁上端に該側壁１２ｃより横向きに屈折する背面浸水防止金具３２が板金加工により一体形成されて、縁石１１又は壁高欄のコンクリートに埋設されるようになっている。
【００２３】
図１０は、図４に示す排水溝ユニットにおいて、水路部１２の縁石１１又は壁高欄側の側壁１２ｃ上端に図７及び図８と同様、別体の背面浸水防止金具３３を取付けたもので、側壁上端で折れ曲がる防止金具３３の縁石１１又は壁高欄側一側は側壁１２ｃと縁石１１又は壁高欄との境界を越えて縁石１１又は壁高欄に埋設される埋設部となり、水路部側の他側は水路部側壁１２ｃに固着のアングル材１５上に載せ、その上にカバー部１３の一側が載せて支持されている。
【００２４】
図９及び図１０に示す実施形態の排水溝ユニット３1においても、前記実施形態の排水溝ユニット２１と同様、側壁１２ｃ上端のコンクリートにひび割れや欠落が生じ、或いは雨水が該欠落部分に入り込んだとしても背面浸水防止金具２６、３３で遮られ、側壁１２ｃとコンクリートとの間の境界面に入り込むことはない。
【符号の説明】
【００２５】
１、１２・・水路部
１ｂ、１ｃ、１２ｂ、１２ｃ・・側壁
２・・壁高欄
３、１３・・カバー部
３ｃ，１３ａ・・脚部
６・・シーリング材
１１・・縁石
１５・・アングル材
２１、３１・・排水溝ユニット
２２、２６、３３・・背面浸水防止金具
【図１】
2018159254.tif 000003
【図２】
2018159254.tif 000004
【図３】
2018159254.tif 000005
【図４】
2018159254.tif 000006
【図５】
2018159254.tif 000007
【図６】
2018159254.tif 000008
【図７】
2018159254.tif 000009
【図８】
2018159254.tif 000010
【図９】
2018159254.tif 000011
【図１０】
2018159254.tif 000012